(57)【要約】  表示入力装置（１００）は、地図（ＭＰ）上の施設の位置に施設の状態を示す状態画像（Ｇ）を表示する操作表示部（３）と、将来の日時を対象日時に設定するとともに、スケジュール情報（２０）に基づき施設の対象日時の状態を認識し、施設の対象日時の状態に応じた状態画像（Ｇ）を操作表示部（３）に表示させる制御部（１）と、を備える。
2019106842.tif 000002
【特許請求の範囲】
【請求項１】
地図を表示するとともに、前記地図上の施設の位置に前記施設の状態を示す状態画像を表示する操作表示部と、
将来の日時を対象日時に設定するとともに、前記施設のスケジュール情報に基づき前記施設の前記対象日時の状態を認識し、前記施設の前記対象日時の状態に応じた前記状態画像を前記操作表示部に表示させる制御部と、を備える表示入力装置。
【請求項２】
前記施設の状態は複数に分類されており、
複数に分類された前記施設の状態にそれぞれ対応する複数の前記状態画像を記憶する記憶部を備え、
前記制御部は、前記記憶部に記憶された複数の前記状態画像のうち前記施設の前記対象日時の状態に対応する前記状態画像を前記操作表示部に表示させることを特徴とする請求項１に記載の表示入力装置。
【請求項３】
前記操作表示部は、前記将来の日時の指定を受け付けるための受付ボタンを表示し、
前記制御部は、前記スケジュール情報に基づき前記施設の現在日時の状態を認識し、前記受付ボタンが操作されるまでは、前記施設の前記現在日時の状態に応じた前記状態画像を前記操作表示部に表示させ、前記受付ボタンが操作されると、前記対象日時を設定し、前記施設の前記対象日時の状態に応じた前記状態画像を前記操作表示部に表示させることを特徴とする請求項１に記載の表示入力装置。
【請求項４】
前記操作表示部は、前記受付ボタンが操作されると、第１方向に移動可能な第１操作画像および第２方向に移動可能な第２操作画像を表示し、
前記制御部は、前記第１操作画像を前記第１方向の一方側から他方側に向けて移動させる操作が行われると、前記対象日時の時刻を進め、前記第２操作画像を前記第２方向の一方側から他方側に向けて移動させる操作が行われると、前記対象日時の日付を進めることを特徴とする請求項３に記載の表示入力装置。
【請求項５】
前記制御部は、前記第１操作画像の移動範囲の前記第１方向の他方側の端まで前記第１操作画像が移動すると、前記対象日時の日付を翌日の日付に変更し、前記第２操作画像の移動範囲の前記第２方向の他方側の端まで前記第２操作画像が移動すると、前記対象日時の日付を翌月の日付に変更することを特徴とする請求項４に記載の表示入力装置。
【請求項６】
前記操作表示部は、前記受付ボタンが操作されると、第３方向に移動可能な第３操作画像を表示し、
前記制御部は、前記第３操作画像を前記第３方向の一方側から他方側に向けて移動させる操作が行われると、前記対象日時の時刻および日付の両方を進めることを特徴とする請求項３に記載の表示入力装置。
【請求項７】
ＧＰＳ信号を受信するＧＰＳ受信部を備え、
前記制御部は、表示中の前記地図の範囲内に前記施設の位置が入ると、前記ＧＰＳ信号に基づき認識した自機の現在位置から前記施設への到着予定日時を求め、前記到着予定日時を前記対象日時に設定し、前記対象日時として設定した前記到着予定日時における前記施設の状態に応じた前記状態画像を前記操作表示部に表示させることを特徴とする請求項１に記載の表示入力装置。
【請求項８】
前記制御部は、表示中の前記地図の範囲内に前記施設の位置が入って以降、前記到着予定日時を繰り返し求め、最新の前記到着予定日時における前記施設の状態に応じた前記状態画像を前記操作表示部に表示させることを特徴とする請求項７に記載の表示入力装置。
【請求項９】
請求項１に記載の表示入力装置と、
前記表示入力装置と通信可能に接続され、前記施設の前記スケジュール情報を記憶するサーバーと、を備え、
前記表示入力装置は、前記施設の前記対象日時の状態を認識するとき、前記サーバーと通信し、前記施設の前記スケジュール情報を参照することを特徴とする表示システム。
【請求項１０】
地図を表示するとともに、前記地図上の施設の位置に前記施設の状態を示す状態画像を表示する表示方法であって、
将来の日時を対象日時に設定するステップと、
前記施設のスケジュール情報に基づき前記施設の前記対象日時の状態を認識するステップと、
前記施設の前記対象日時の状態に応じた前記状態画像を表示するステップと、を備えることを特徴とする表示方法。
【発明の詳細な説明】
【技術分野】
【０００１】
本発明は、施設の状態を示す状態画像を表示する表示装置、表示システムおよび表示方法に関する。
【背景技術】
【０００２】
従来、施設の状態を示す状態画像を表示する表示装置が知られている。このような表示装置は、たとえば、特許文献１に開示されている。【０００３】
特許文献１では、表示装置として携帯電話端末が使用される。表示装置は、サーバーと通信可能に接続される。サーバーは、施設（店舗）に設置されたレジスターと通信可能に接続され、レジスターから、施設が現在開いているか否か（現在営業中であるか否か）を示す営業情報を取得する。【０００４】
サーバーは、施設の位置情報および営業情報を表示装置に送信する。表示装置は、営業情報に基づき、施設が現在開いているか否かを認識するとともに、地図情報に基づき地図を表示する。このとき、表示装置は、施設が現在開いていれば、その旨を示す状態画像（黒塗りの円形記号）を地図上の施設の位置に表示し、施設が現在閉まっていれば、その旨を示す状態画像（黒塗りの四角形記号）を地図上の施設の位置に表示する。
【先行技術文献】
【特許文献】
【０００５】
【特許文献１】特開２０１１−４８７１９号公報
【発明の概要】
【発明が解決しようとする課題】
【０００６】
特許文献１では、レジスターの電源のオンオフに応じて、営業情報の内容が変わる。レジスターの電源がオンであれば、施設が現在開いている旨（営業中）の営業情報がレジスターからサーバーに送信され、レジスターの電源がオフであれば、施設が現在閉まっている旨（閉店中）の営業情報がレジスターからサーバーに送信される。【０００７】
このため、特許文献１では、表示装置のユーザーに対し、施設の現在の状態（現在営業中であるか否か）を報知することはできる。ここで、ユーザーによっては、施設の将来の状態を知りたい場合がある。しかし、特許文献１では、施設の将来の状態については報知することができない。【０００８】
本発明は、上記課題を解決するためになされたものであり、施設の将来の状態をユーザーに報知することが可能な表示装置、表示システムおよび表示方法を提供することを目的とする。
【課題を解決するための手段】
【０００９】
上記目的を達成するため、本発明の第１の局面による表示装置は、地図を表示するとともに、地図上の施設の位置に施設の状態を示す状態画像を表示する操作表示部と、将来の日時を対象日時に設定するとともに、施設のスケジュール情報に基づき施設の対象日時の状態を認識し、施設の対象日時の状態に応じた状態画像を操作表示部に表示させる制御部と、を備える。【００１０】
本発明の第２の局面による表示システムは、上記表示入力装置と、表示入力装置と通信可能に接続され、施設のスケジュール情報を記憶するサーバーと、を備え、表示入力装置は、施設の対象日時の状態を認識するとき、サーバーと通信し、施設のスケジュール情報を参照する。【００１１】
本発明の第３の局面による表示方法は、地図を表示するとともに、地図上の施設の位置に施設の状態を示す状態画像を表示する表示方法であって、将来の日時を対象日時に設定するステップと、施設のスケジュール情報に基づき施設の対象日時の状態を認識するステップと、施設の対象日時の状態に応じた状態画像を表示するステップと、を備える。【００１２】
本発明の構成では、将来の日時（対象日時）における施設の状態に応じた状態画像を地図上の施設の位置に表示するので、施設の位置に加え、施設の将来の状態をユーザーに報知することができる。これにより、施設の将来の状態を知りたいユーザーの利便性が向上する。また、地図上に状態画像を表示することによって施設の将来の状態を報知することにより、表示中の地図を見るだけで、施設の位置に加え、施設の将来の状態を知ることができるので、ユーザーにとっては利便性が良い。
【発明の効果】
【００１３】
本発明の構成では、施設の将来の状態をユーザーに報知することができる。
【図面の簡単な説明】
【００１４】
【図１】本発明の一実施形態による表示システムの構成を示す図
【図２】本発明の一実施形態による表示システムの表示入力装置が表示する地図に施設の現在の状態を示す状態画像が配された状態の図
【図３】本発明の一実施形態による表示システムの表示入力装置が表示する状態画像の種類について説明するための図
【図４】本発明の一実施形態による表示システムのサーバーが記憶するスケジュール情報（施設Ａのスケジュール情報）の概念図
【図５】本発明の一実施形態による表示システムのサーバーが記憶するスケジュール情報（施設Ｂのスケジュール情報）の概念図
【図６】本発明の一実施形態による表示システムのサーバーが記憶するスケジュール情報（施設Ｃのスケジュール情報）の概念図
【図７】本発明の一実施形態による表示システムの表示入力装置が表示する地図に第１操作画像および第２操作画像が配された状態の図
【図８】本発明の一実施形態による表示システムの表示入力装置が表示する地図に第３操作画像が配された状態の図
【図９】本発明の一実施形態による表示システムの表示入力装置により行われる第１モードの将来状態報知処理について説明するための図
【図１０】本発明の一実施形態による表示システムのサーバーが記憶するスケジュール情報（施設Ａのスケジュール情報）の概念図
【図１１】本発明の一実施形態による表示システムのサーバーが記憶するスケジュール情報（施設Ｂのスケジュール情報）の概念図
【図１２】本発明の一実施形態による表示システムのサーバーが記憶するスケジュール情報（施設Ｃのスケジュール情報）の概念図
【図１３】本発明の一実施形態による表示システムの表示入力装置により行われる第２モードの将来状態報知処理について説明するための図
【図１４】本発明の一実施形態による表示システムのサーバーが記憶するスケジュール情報（施設Ａのスケジュール情報）の概念図
【発明を実施するための形態】
【００１５】
＜＜表示システムの構成＞＞
図１に示すように、本実施形態の表示システムＤＳは、表示入力装置１００とサーバー２００とを備える。
【００１６】
表示入力装置１００は、スマートフォンやタブレット端末などの携帯型の通信端末である。なお、携帯型の通信端末に限らず、パーソナルコンピューター（ＰＣ）やカーナビゲーションシステムの車載装置など、種々の装置が表示入力装置１００となり得る。
【００１７】
表示入力装置１００は、制御部１を備える。制御部１は、ＣＰＵのような処理回路を含む。制御部１は、制御用プログラムおよび制御用データに基づき、表示入力装置１００の各部を制御するための処理を行う。
【００１８】
また、表示入力装置１００は、記憶部２を備える。記憶部２は、不揮発性メモリー（ＲＯＭ）および揮発性メモリー（ＲＡＭ）を含む。記憶部２は、制御部１に接続される。制御用プログラムおよび制御用データは、記憶部２に記憶される。
【００１９】
なお、表示入力装置１００には、後述する施設状態報知サービスを利用するためのアプリケーションＡＰ（以下、アプリＡＰと略称する）がインストールされる。アプリＡＰは記憶部２に記憶される。
【００２０】
また、表示入力装置１００は、タッチスクリーン３を備える。タッチスクリーン３は「操作表示部」に相当する。タッチスクリーン３は、液晶表示パネルおよびタッチパネルを含む。タッチスクリーン３は、画面を表示し、表示画面に対するタッチ操作（画面内に配したソフトウェアボタンに対するタッチ操作）をユーザーから受け付ける。タッチスクリーン３は、制御部１に接続される。制御部１は、タッチスクリーン３の表示動作を制御するとともに、タッチスクリーン３に対するタッチ操作を検知する。
【００２１】
また、表示入力装置１００は、ＧＰＳ受信部４を備える。ＧＰＳ受信部４は、ＧＰＳアンテナを含む。ＧＰＳ受信部４は、ＧＰＳ衛星が発するＧＰＳ信号を受信する。制御部１は、ＧＰＳ受信部４が受信したＧＰＳ信号に基づき、表示入力装置１００（自機）の現在位置を認識する。
【００２２】
また、表示入力装置１００は、通信部５を備える。通信部５は、表示入力装置１００をインターネットなどのネットワークＮＴに接続するための通信インターフェースであり、通信用回路や通信用メモリーなどを含む。通信部５は、制御部１に接続される。制御部１は、通信部５を用いて、ネットワークＮＴに接続された外部機器と通信する。
【００２３】
サーバー２００は、施設状態報知サービスの提供者によって管理される。施設状態報知サービスでは、アプリＡＰがインストールされた表示入力装置１００のユーザーに対し、サービス提供者により予め登録された施設の状態が報知される。ユーザーは施設状態報知サービスの提供を受けることにより、たとえば、飲食店、小売店、宿泊施設、娯楽施設、文化施設、公共施設、および、駐車場など、種々の施設の状態を知ることができる。
【００２４】
サーバー２００は、施設状態報知サービスで使用されるデータベースＤＢを記憶する。データベースＤＢは、施設のスケジュール情報２０を施設ごとに格納する。スケジュール情報２０は、施設の所定期間分（たとえば、数か月分）のスケジュールを示す情報を少なくとも含む。施設側からサービス提供者に対してスケジュールを変更する旨の通知があった場合には、通知元の施設のスケジュール情報２０がサービス提供者により更新される。また、所定期間が過ぎたスケジュール情報２０の更新もサービス提供者により行われる。
【００２５】
スケジュール情報２０では、施設が開く時刻（開店時刻、営業開始時刻、業務開始時刻および受付開始時刻など）や閉まる時刻（閉店時刻、営業終了時刻、業務終了時刻および受付終了時刻など）が日付ごとに定義される。さらに、スケジュール情報２０では、施設の休業日も定義される。
【００２６】
なお、スケジュール情報２０に他の情報を含めてもよい。たとえば、宿泊施設のスケジュール情報２０に、スケジュール情報２０の更新時点における宿泊予約状態を日付ごとに示す予約状態情報を含めてもよい。また、駐車場のスケジュール情報２０に、混雑状態を示す混雑状態情報を含めてもよい。スケジュール情報２０に混雑状態情報を含める場合には、たとえば、数分〜数時間ごとに、混雑状態情報の更新が行われる。
【００２７】
サーバー２００は、ネットワークＮＴに接続される。これにより、表示入力装置１００とサーバー２００との間で、ネットワークＮＴを介した通信が可能となる。表示入力装置１００は、サーバー２００と通信することにより、データベースＤＢにアクセスする。
【００２８】
＜＜施設状態報知サービス＞＞
＜現在の状態の報知＞
施設状態報知サービスを利用するには、表示入力装置１００にインストールされたアプリＡＰを起動する必要がある。制御部１は、アプリＡＰの起動を指示するタッチ操作がタッチスクリーン３に対して行われたことを検知すると、アプリＡＰを起動する。そして、制御部１は、サーバー２００との通信を確立する処理を行う。表示入力装置１００とサーバー２００との通信が確立されると、サーバー２００から表示入力装置１００に対し、地図データが送信される。
【００２９】
制御部１は、通信部５が地図データを受信すると、図２に示すように、タッチスクリーン３に地図ＭＰを表示させる。このとき、制御部１は、地図ＭＰの表示範囲が表示入力装置１００（自機）の現在位置を含む範囲となるようタッチスクリーン３の表示動作を制御する。
【００３０】
なお、タッチスクリーン３は、地図ＭＰの表示中、地図ＭＰの表示範囲をスクロールするスクロール操作をユーザーから受け付ける。たとえば、タッチスクリーン３をタッチした状態でタッチ位置を移動させる操作がスクロール操作として受け付けられる。制御部１は、スクロール操作を検知すると、タッチ位置の移動量に応じて地図ＭＰの表示範囲をスクロールさせる。
【００３１】
サーバー２００から表示入力装置１００へは、地図データに加え、施設の位置を示す位置データが送信される。施設の位置データは通信部５が受信する。制御部１は、施設の位置データに基づき地図ＭＰの現在表示中の範囲内の地域に位置する施設（状態を報知すべき施設）が存在するか否かを判断するとともに、地図ＭＰの現在表示中の範囲内の地域に位置する施設（状態を報知すべき施設）を対象施設に設定する。そして、制御部１は、対象施設の状態を示す状態画像Ｇを地図ＭＰ上の対象施設の位置に表示させる。
【００３２】
状態画像Ｇの表示データ２１（図１参照）は記憶部２に予め記憶される。また、状態画像Ｇと施設との対応関係を示す対応情報２２（図１参照）も記憶部２に予め記憶される。制御部１は、対象施設に対応する状態画像Ｇを認識し、当該認識した状態画像Ｇを地図ＭＰ上の対象施設の位置に表示させる。
【００３３】
ここで、図３に示すように、状態画像Ｇの形態（絵柄、色、形状および大きさなど）は施設によって異なる。図３では、一例として、施設Ａ、ＢおよびＣの各状態画像Ｇを示す。たとえば、施設ＡおよびＢは飲食店であり、施設Ｃは文化施設である。各施設の状態画像Ｇの形態はユーザーが任意に設定することができる。
【００３４】
また、施設の状態は予め複数に分類される。たとえば、第１状態（施設が開いている状態）、第２状態（施設が閉まっている状態）、および、第３状態（第３状態については後述する）の３種類に分類される。そして、施設ごとに、複数に分類された施設の状態にそれぞれ対応する複数の状態画像Ｇが予め記憶部２に記憶される。施設の状態が第１〜３状態の３種類に分類される場合には、図３に示すように、各施設の状態画像Ｇの個数が３つとなる。
【００３５】
状態画像Ｇの形態は、施設によっても異なるし、施設の状態によっても異なる。すなわち、第１状態の状態画像Ｇ、第２状態の状態画像Ｇ、および、第３状態の状態画像Ｇの各形態は異なる。以下の説明では、施設Ａの第１状態に対応する状態画像Ｇに符号ＡＧ１を付し、施設Ａの第２状態に対応する状態画像Ｇに符号ＡＧ２を付し、施設Ａの第３状態に対応する状態画像Ｇに符号ＡＧ３を付す。施設Ｂの第１状態に対応する状態画像Ｇに符号ＢＧ１を付し、施設Ｂの第２状態に対応する状態画像Ｇに符号ＢＧ２を付し、施設Ｂの第３状態に対応する状態画像Ｇに符号ＢＧ３を付す。施設Ｃの第１状態に対応する状態画像Ｇに符号ＣＧ１を付し、施設Ｃの第２状態に対応する状態画像Ｇに符号ＣＧ２を付し、施設Ｃの第３状態に対応する状態画像Ｇに符号ＣＧ３を付す。
【００３６】
なお、第３状態は、施設側あるいはユーザーによって任意に設定される状態である。たとえば、施設が閉まる時刻から所定時間（たとえば、数十分から数時間）だけ遡った時刻までの特定時間帯が予め設定される。そして、施設の特定時間帯の状態（すなわち、施設が間もなく閉まる状態）が第３状態とされる。
【００３７】
制御部１は、対象施設の状態画像Ｇを表示させるとき、サーバー２００に記憶された対象施設のスケジュール情報２０を参照し、対象施設のスケジュール情報２０に基づき対象施設の現在日時の状態を認識する。そして、制御部１は、対象施設に対応する複数の状態画像Ｇの中から、対象施設の現在日時の状態に対応する状態画像Ｇを抽出し、当該抽出した状態画像Ｇを地図ＭＰ上の対象施設の位置に表示させる。
【００３８】
一例として、現在日時が７月１２日午後７時であるとする。また、施設Ａ〜Ｃを対象施設として制御部１が認識したとする（施設Ａ〜Ｃの各位置が現在表示中の地図ＭＰの範囲内に入っているとする）。
【００３９】
この例では、制御部１は、施設Ａ〜Ｃの各スケジュール情報２０を参照し、施設Ａ〜Ｃのそれぞれについて現在日時の状態を認識する。また、制御部１は、特定時間帯を認識する。ここでは、施設が閉まる時刻から２時間だけ遡った時刻までの時間帯が特定時間帯として設定されているとする。以下、施設が開く時刻に符号Ｔ１を付し、施設が閉まる時刻に符号Ｔ２を付し、特定時間帯に符号ＳＴを付して説明する。
【００４０】
ここで、施設Ａのスケジュール情報２０では、図４に示すようなスケジュールが現在日時の日付に対応するスケジュールとして定義されているとする。すなわち、施設Ａが開く時刻Ｔ１は午後５時であり、施設Ａが閉まる時刻Ｔ２は午後１０時であり、特定時間帯ＳＴは午後８時から午後１０時である。この例では、施設Ａは現在開いており、現在の時刻は特定時間帯ＳＴから外れている。このため、制御部１は、施設Ａの現在日時の状態が第１状態であると認識する。したがって、図２に示すように、表示中の地図ＭＰ上の施設Ａの位置には状態画像ＡＧ１（図３参照）が表示される。
【００４１】
また、施設Ｂのスケジュール情報２０では、図５に示すようなスケジュールが現在日時の日付に対応するスケジュールとして定義されているとする。すなわち、施設Ｂが開く時刻Ｔ１は午前９時であり、施設Ｂが閉まる時刻Ｔ２は午後８であり、特定時間帯ＳＴは午後６時から午後８時である。この例では、施設Ｂは現在開いているが、現在の時刻は特定時間帯ＳＴに入っている。このため、制御部１は、施設Ｂの現在日時の状態が第３状態であると認識する。したがって、図２に示すように、表示中の地図ＭＰ上の施設Ｂの位置には状態画像ＢＧ３（図３参照）が表示される。
【００４２】
また、施設Ｃのスケジュール情報２０では、図６に示すようなスケジュールが現在日時の日付に対応するスケジュールとして定義されているとする。すなわち、施設Ｃが開く時刻Ｔ１は午前１０時であり、施設Ｃが閉まる時刻Ｔ２は午後６時であり、特定時間帯ＳＴは午後４時から午後６時である。この例では、施設Ｃは現在閉まっている。このため、制御部１は、施設Ｃの現在日時の状態が第２状態であると認識する。したがって、図２に示すように、表示中の地図ＭＰ上の施設Ｃの位置には状態画像ＣＧ２（図３参照）が表示される。
【００４３】
なお、変形例として、宿泊施設の状態を、空室が多数残っている状態（第１状態）、空室が残っていない状態（第２状態）、および、空室が残り少なくなっている状態（第３状態）の３種類に分類してもよい。
【００４４】
この場合、制御部１は、宿泊施設を対象施設として認識すると、当該宿泊施設のスケジュール情報２０に含まれる予約状態情報に基づき、当該宿泊施設の現在日時の宿泊予約状態を認識する。そして、図示しないが、制御部１は、空室が多数残っていれば、地図ＭＰ上の当該宿泊施設の位置に当該宿泊施設の第１状態に対応する状態画像Ｇを表示させ、空室が残っていなければ、地図ＭＰ上の当該宿泊施設の位置に当該宿泊施設の第２状態に対応する状態画像Ｇを表示させ、空室が残り少なくなっていれば、地図ＭＰ上の当該宿泊施設の位置に当該宿泊施設の第３状態に対応する状態画像Ｇを表示させる。
【００４５】
また、変形例として、駐車場の状態を、空きが有る空車状態（第１状態）、空きが無い満車状態（第２状態）、および、混雑している混雑状態（第３状態）の３種類に分類してもよい。
【００４６】
この場合、図示しないが、制御部１は、駐車場を対象施設として認識すると、当該駐車場のスケジュール情報２０に含まれる混雑状態情報に基づき、当該駐車場の現在日時の混雑状態を認識する。その結果、制御部１は、空車状態であれば、地図ＭＰ上の当該駐車場の位置に当該駐車場の第１状態に対応する状態画像Ｇを表示させ、満車状態であれば、地図ＭＰ上の当該駐車場の位置に当該駐車場の第２状態に対応する状態画像Ｇを表示させ、混雑状態であれば、地図ＭＰ上の当該駐車場の位置に当該駐車場の第３状態に対応する状態画像Ｇを表示させる。
【００４７】
＜将来の状態の報知＞
制御部１は、施設の将来の状態を報知する将来状態報知処理を行う。制御部１は、第１モードおよび第２モードのいずれかのモードで将来状態報知処理を行う。制御部１による将来状態報知処理を第１モードおよび第２モードのいずれのモードで行わせるかはユーザーにより設定される。モード設定はタッチスクリーン３がユーザーから受け付ける。
【００４８】
（第１モード）
第１モードでは、将来の日時をユーザーが任意に指定することができる。制御部１は、ユーザーが指定した将来の日時を対象日時に設定する。そして、制御部１は、ユーザーが指定した将来の日時（対象日時）における施設の状態を報知する処理を将来状態報知処理として行う。将来状態報知処理では、地図ＭＰの現在表示中の範囲内の地域に位置する施設が対象施設（状態を報知すべき施設）に設定される。
【００４９】
将来の日時の指定を受け付けるため、制御部１は、受付ボタンＲＢ（図２参照）をタッチスクリーン３に表示させる。タッチスクリーン３は、地図ＭＰ上に受付ボタンＲＢを表示する。
【００５０】
制御部１は、受付ボタンＲＢに対する操作を検知すると、図７に示すように、第１操作画像ＯＧ１および第２操作画像ＯＧ２をタッチスクリーン３に表示させる。第１操作画像ＯＧ１は、第１方向（図７では、上下方向）に移動可能であり、第２操作画像ＯＧ２は、第２方向（図７では、左右方向）に移動可能である。第１操作画像ＯＧ１を移動させるには、第１操作画像ＯＧ１をタッチし、タッチしたままタッチ位置を第１方向に移動させればよい。第２操作画像ＯＧ２を第２方向に移動させるには、第２操作画像ＯＧ２をタッチし、タッチしたままタッチ位置を第２方向に移動させればよい。以下の説明では、便宜上、第１操作画像ＯＧ１および第２操作画像ＯＧ２を総じて操作画像ＯＧと称する場合がある。
【００５１】
タッチスクリーン３は、第１操作画像ＯＧ１および第２操作画像ＯＧ２の表示と共に、第１方向に延伸する第１バー画像Ｂａ１および第２方向に延伸する第２バー画像Ｂａ２を表示する。第１操作画像ＯＧ１の移動範囲は、第１バー画像Ｂａ１によって示され、第２操作画像ＯＧ２の移動範囲は、第２バー画像Ｂａ２によって示される。
【００５２】
第１バー画像Ｂａ１の第１方向の長さは、１日分の時間（２４時間）に対応しており、第１バー画像Ｂａ１の第１方向の一方側の端が午前０時に対応し、第１バー画像Ｂａ１の第１方向の一方側とは逆の他方側の端の手前が午後１１時５９分に対応する。第２バー画像Ｂａ２の第２方向の長さは、１ヶ月分の日数に対応しており、第２バー画像Ｂａ２の第２方向の一方側の端が月初日に対応し、第２バー画像Ｂａ２の第２方向の一方側とは逆の他方側の端の手前が月末日に対応する。
【００５３】
制御部１は、操作画像ＯＧを表示させるとき、現在日時を認識する。そして、制御部１は、タッチスクリーン３に指示し、第１バー画像Ｂａ１の現在日時の時刻に対応する位置に第１操作画像ＯＧ１を表示させるとともに、第２バー画像Ｂａ２の現在日時の日付に対応する位置に第２操作画像ＯＧ２を表示させる。また、制御部１は、第１画像ＯＧ１および第２操作画像ＯＧ２の各位置によって定義された日時を示す日時画像ＤＴをタッチスクリーン３に表示させる。
【００５４】
タッチスクリーン３は、操作画像ＯＧを移動させる操作を日時指定操作（将来の日時を指定する操作）として受け付ける。制御部１は、日時指定操作を検知すると、日時指定操作後の操作画像ＯＧの位置を認識する。そして、制御部１は、当該認識した操作画像ＯＧの位置に対応する日時を対象日時として設定する。なお、操作画像ＯＧが移動すると、操作画像ＯＧの位置に応じて、日時画像ＤＴで示される日時が変化していく。すなわち、日時指定操作後に表示されていた日時画像ＤＴで示される日時が対象日時となる。
【００５５】
制御部１は、第１操作画像ＯＧ１を第１方向の一方側から他方側に向けて移動させる操作が行われると、対象日時の時刻を進める。また、制御部１は、第２操作画像ＯＧ２を第２方向の一方側から他方側に向けて移動させる操作が行われると、対象日時の日付を進める。
【００５６】
また、制御部１は、第１バー画像Ｂａ１の第１方向の他方側の端まで第１操作画像ＯＧ１が移動すると、対象日時の日付を翌日の日付に変更する。このとき、タッチスクリーン３は、第１操作画像ＯＧ１の表示位置を第１バー画像Ｂａ１の第１方向の一方側の端に切り替える。そして、タッチスクリーン３は、続けて、日時指定操作を受け付ける。たとえば、現在日時の日付が７月１２日午後８時である場合に、第１バー画像Ｂａ１の第１方向の他方側の端まで第１操作画像ＯＧ１が移動すると、対象日時が７月１３日午前０時となる。
【００５７】
また、制御部１は、第２バー画像Ｂａ２の第２方向の他方側の端まで第２操作画像ＯＧ２が移動すると、対象日時の日付を翌月の日付（月初日）に変更する。このとき、タッチスクリーン３は、第２操作画像ＯＧ２の表示位置を第２バー画像Ｂａ２の第２方向の一方側の端に切り替える。そして、タッチスクリーン３は、続けて、日時指定操作を受け付ける。たとえば、現在日時の日付が７月１２日午後８時である場合に、第２バー画像Ｂａ２の第２方向の他方側の端まで第２操作画像ＯＧ２が移動すると、対象日時が７月１３日午後８時となる。
【００５８】
なお、日時指定操作に割り当てる操作は特に限定されない。たとえば、日時指定用の時計（図示せず）を表示し、日時指定用の時計の長針および短針を動かす操作を日時指定操作に割り当て、日時指定操作後の長針および短針で示される時刻を対象日時の時刻に設定してもよい。また、日時指定用のカレンダー（図示せず）を表示し、カレンダーの日付をタッチする操作を日時指定操作に割り当て、タッチされた日付を対象日時の日付に設定してもよい。
【００５９】
また、操作画像ＯＧを用いて将来の日時を指定するか日時指定用の時計やカレンダーを用いて将来の日時を指定するかをユーザーが任意に選択できてもよい。このように構成する場合、たとえば、制御部１は、受付ボタンＲＢを１回タップするタッチ操作が行われたことを検知すると、操作画像ＯＧをタッチスクリーン３に表示させ、受付ボタンＲＢを２回連続してタップするタッチ操作や連続した所定時間以上のタッチ操作（長押し操作）が行われたことを検知すると、日時指定用の時計やカレンダーをタッチスクリーン３に表示させる。
【００６０】
なお、変形例として、日時指定操作を受け付けるとき、第１操作画像ＯＧ１および第２操作画像ＯＧ２に加え、図８に示すように、タッチスクリーン３に第３操作画像ＯＧ３を表示してもよい。第３操作画像ＯＧ３は、第３方向に移動可能である。たとえば、第１方向と第２方向との間の方向（すなわち、斜め方向）が第３方向とされる。第３操作画像ＯＧ３を移動させるには、第３操作画像ＯＧ３をタッチし、タッチしたままタッチ位置を第３方向に移動させればよい。なお、タッチスクリーン３は、第３操作画像ＯＧ３の表示と共に、第３方向に延伸する第３バー画像Ｂａ３を表示する。第３操作画像ＯＧ３の移動範囲は、第３バー画像Ｂａ３によって示される。
【００６１】
制御部１は、第３操作画像ＯＧ３を第３方向に移動させる操作が行われると、当該操作を日時指定操作（将来の日時を指定する操作）として検知する。制御部１は、第３操作画像ＯＧ３を第３方向の一方側から他方側に向けて移動させる操作が行われると、対象日時の時刻および日付の両方を進める。第３操作画像ＯＧ３が第３方向に移動され、それによって対象日時が変化していくと、対象日時の変化に応じて、第１操作画像ＯＧ１および第２操作画像ＯＧ２の各位置も変化していく。
【００６２】
なお、第３操作画像ＯＧ３の移動方向（第３方向）、すなわち、第３バー画像Ｂａ３の傾斜角度はユーザーが任意に変更することができる。第３方向が第１方向に近づくよう第３バー画像Ｂａ３の傾斜角度を変更した場合（図８に示す状態の場合）、対象日時の時刻の進み量に対し、対象日時の日付の進み量が小さくなる。一方で、図示しないが、第３方向が第２方向に近づくよう第３バー画像Ｂａ３の傾斜角度を変更した場合、対象日時の日付の進み量に対し、対象日時の時刻の進み量が小さくなる。
【００６３】
日時指定操作に基づき対象日時（将来の日時）を設定して以降、制御部１は、対象施設の現在日時の状態を報知する処理と同様の処理を行う。すなわち、制御部１は、対象施設のスケジュール情報２０に基づき、対象施設の対象日時の状態を認識する。また、制御部１は、対象施設に対応する複数の状態画像Ｇの中から、対象施設の対象日時の状態に対応する状態画像Ｇを抽出し、当該抽出した状態画像Ｇを地図ＭＰ上の対象施設の位置に表示させる。
【００６４】
一例として、現在日時が７月１２日午後７時になったとき、施設Ａ〜Ｃを対象施設として制御部１が認識したとする。また、施設が閉まる時刻から２時間だけ遡った時刻までの時間帯が特定時間帯として設定されているとする。以下、施設が開く時刻に符号Ｔ１を付し、施設が閉まる時刻に符号Ｔ２を付し、特定時間帯に符号ＳＴを付して説明する。
【００６５】
この例では、ユーザーが日時指定操作を行う前、図９左図に示すような状態画像Ｇが地図ＭＰ上に表示される（図２に示した画面と同じ画面が表示入力装置１００に表示される）。すなわち、表示中の地図ＭＰ上の施設Ａの位置には状態画像ＡＧ１が表示され、表示中の地図ＭＰ上の施設Ｂの位置には状態画像ＢＧ３が表示され、表示中の地図ＭＰ上の施設Ｃの位置には状態画像ＣＧ２が表示される。
【００６６】
そして、状態画像ＡＧ１、ＢＧ３およびＣＧ２の表示以降、ユーザーが日時指定操作を行ったとする。このとき、制御部１は、対象日時（将来の日時）を設定する。たとえば、制御部１により設定された対象日時が７月２０日午後３時であったとする。
【００６７】
この場合、制御部１は、再度、施設Ａ〜Ｃの各スケジュール情報２０を参照し、施設Ａ〜Ｃのそれぞれについて対象日時の状態を認識する。また、制御部１は、特定時間帯ＳＴを認識する。
【００６８】
ここで、施設Ａのスケジュール情報２０では、図１０に示すようなスケジュールが対象日時の日付に対応するスケジュールとして定義されているとする。すなわち、施設Ａが開く時刻Ｔ１は午後５時であり、施設Ａが閉まる時刻Ｔ２は午後１０時であり、特定時間帯ＳＴは午後８時から午後１０時である。この例では、施設Ａは対象日時の時点では閉まっている。このため、制御部１は、施設Ａの対象日時の状態が第２状態であると認識する。
【００６９】
また、施設Ｂのスケジュール情報２０では、図１１に示すようなスケジュールが対象日時の日付に対応するスケジュールとして定義されているとする。すなわち、施設Ｂが開く時刻Ｔ１は午前９時であり、施設Ｂが閉まる時刻Ｔ２は午後８であり、特定時間帯ＳＴは午後６時から午後８時である。この例では、施設Ｂは対象日時の時点では開いており、対象日時の時刻は特定時間帯ＳＴから外れている。このため、制御部１は、施設Ｂの対象日時の状態が第１状態であると認識する。
【００７０】
また、施設Ｃのスケジュール情報２０では、図１２に示すようなスケジュールが対象日時の日付に対応するスケジュールとして定義されているとする。すなわち、施設Ｃが開く時刻Ｔ１は午前１０時であり、施設Ｂが閉まる時刻Ｔ２は午後６であり、特定時間帯ＳＴは午後４時から午後６時である。この例では、施設Ｃは対象日時の時点では開いており、対象日時の時刻は特定時間帯ＳＴから外れている。このため、制御部１は、施設Ｃの対象日時の状態が第１状態であると認識する。
【００７１】
これらの結果、日時指定操作後、表示入力装置１００の画面は、図９左図から図９右図に変化する。すなわち、表示中の地図ＭＰ上の施設Ａの位置には状態画像ＡＧ２が表示され、表示中の地図ＭＰ上の施設Ｂの位置には状態画像ＢＧ１が表示され、表示中の地図ＭＰ上の施設Ｃの位置には状態画像ＣＧ１が表示される。
【００７２】
（第２モード）
第２モードでは、表示入力装置１００がナビゲーションシステムとして機能する。すなわち、制御部１は、目的地を設定する操作の受け付けをタッチスクリーン３に行わせる。目的地が設定されると、制御部１は、表示入力装置１００（自機）の現在位置から目的地までの経路を検索する経路検索処理を行う。たとえば、経路検索プログラムが予め記憶部２に記憶されており、制御部１による経路検索処理は経路検索プログラムに基づき行われる。そして、制御部１は、図１３に示すように、経路検索処理で検索した経路を示す線画像（破線で示す）をタッチスクリーン３に表示させる。これにより、表示入力装置１００に表示された経路を確認しつつ、ユーザーは移動を開始する。
【００７３】
制御部１は、第２モードでの将来状態報知処理を開始して以降、表示入力装置１００（自機）の現在位置を検知し続ける。そして、制御部１は、表示入力装置表１００の現在位置が変化するのに合わせて、地図ＭＰの表示範囲をスクロールさせる。たとえば、表示中の地図ＭＰの範囲内の中心位置が表示入力装置１００の現在位置となるよう地図ＭＰの表示範囲がスクロールされていく。
【００７４】
ここで、第２モードでの将来状態報知処理の開始時点では、表示中の地図ＭＰの範囲内の地域には状態を報知すべき施設（サービス提供者が登録した施設）が存在していなかったとする。そして、第２モードでの将来状態報知処理の開始以降、ユーザーが移動したことにより、表示中の地図ＭＰの範囲内に当該施設の位置が入ったとする。
【００７５】
このとき、制御部１は、表示中の地図ＭＰの範囲内に入った施設を対象施設（状態を報知すべき施設）として認識し、将来の日時を対象日時に設定する処理を行う。具体的には、制御部１は、表示入力装置１００（自機）の現在位置を認識し、当該現在位置から対象施設の位置までの距離およびユーザーの移動速度（当該移動速度はユーザーにより予め設定される）に基づき、当該現在位置から対象施設への到着予定日時を求める。そして、制御部１は、到着予定日時を対象日時に設定する。
【００７６】
また、制御部１は、サーバー２００に記憶された対象施設のスケジュール情報２０にアクセスし、対象施設のスケジュール情報２０に基づき対象施設の対象日時（到着予定日時）の状態を認識する。そして、制御部１は、対象施設に対応する複数の状態画像Ｇの中から、対象施設の対象日時の状態に対応する状態画像Ｇを抽出し、当該抽出した状態画像Ｇを地図ＭＰ上の対象施設の位置に表示させる。
【００７７】
一例として、制御部１が施設Ａを対象施設として認識し、対象日時（到着予定時間）を７月３０日午後９時に設定したとする。また、施設が閉まる時刻から２時間だけ遡った時刻までの時間帯が特定時間帯として設定されているとする。以下、施設が開く時刻に符号Ｔ１を付し、施設が閉まる時刻に符号Ｔ２を付し、特定時間帯に符号ＳＴを付して説明する。
【００７８】
この場合、制御部１は、施設Ａのスケジュール情報２０を参照し、施設Ａの対象日時（到着予定日時）の状態を認識する。また、制御部１は、特定時間帯ＳＴを認識する。
【００７９】
ここで、施設Ａのスケジュール情報２０では、図１４に示すようなスケジュールが対象日時（到着予定日時）の日付に対応するスケジュールとして定義されているとする。すなわち、施設Ａが開く時刻Ｔ１は午後５時であり、施設Ａが閉まる時刻Ｔ２は午後１０時であり、特定時間帯ＳＴは午後８時から午後１０時である。この例では、施設Ａは対象日時の時点では開いているが、対象日時の時刻が特定時間帯ＳＴに入っている。このため、制御部１は、施設Ａの対象日時の状態が第３状態であると認識する。
【００８０】
その結果、表示入力装置１００の画面は、図１３左図から図１３右図に変化する。すなわち、表示中の地図ＭＰ上の施設Ａの位置には状態画像ＡＧ３が表示される。
【００８１】
なお、制御部１が対象日時を設定して以降（到着予定日時を求めて以降）、たとえば、ユーザーの移動速度が変化する場合がある。ユーザーが移動速度を上げると、到着予定日時が早まり、ユーザーが移動速度を下げると、到着予定日時が遅くなる。このため、制御部１は、表示中の地図ＭＰの範囲内に対象施設の位置が入って以降（状態画像Ｇを最初に表示させて以降）、到着予定日時を繰り返し求め、対象日時を更新する。そして、制御部１は、最新の対象日時（到着予定日時）における対象施設の状態に応じた状態画像Ｇを地図ＭＰ上の対象施設の位置に表示させる。
【００８２】
本実施形態の構成では、上記のように、将来の日時（対象日時）における施設の状態に応じた状態画像Ｇを地図ＭＰ上の施設の位置に表示するので、施設の位置に加え、施設の将来の状態をユーザーに報知することができる。これにより、施設の将来の状態を知りたいユーザーの利便性が向上する。また、地図ＭＰ上に状態画像Ｇを表示することによって施設の将来の状態を報知することにより、表示中の地図ＭＰを見るだけで、施設の位置に加え、施設の将来の状態を知ることができるので、ユーザーにとっては利便性が良い。
【００８３】
また、本実施形態では、上記のように、記憶部２は、３種類に分類された施設の状態にそれぞれ対応する３種類の状態画像Ｇを施設ごとに記憶する。そして、制御部１は、記憶部２に記憶された施設の対象日時の状態に対応する状態画像Ｇをタッチスクリーン３に表示させる。この構成では、施設が開いているか閉まっているかだけでなく、施設が閉まる時刻に迫っているかなど、施設の状態を細かく知ることができるので、ユーザーにとっては利便性が良い。さらに、３種類の状態画像Ｇの形態は互いに異なるので、状態画像Ｇを一目見るだけで、施設の状態を容易に知ることができる。
【００８４】
また、本実施形態では、上記のように、将来状態報知処理に関するモードが第１モードに設定されているとき、制御部１は、スケジュール情報２０に基づき施設の現在日時の状態を認識し、受付ボタンＲＢが操作されるまでは、施設の現在日時の状態に応じた状態画像Ｇをタッチスクリーン３に表示させ、受付ボタンＲＢが操作されると、対象日時を設定し、施設の対象日時の状態に応じた状態画像Ｇをタッチスクリーン３に表示させる。この構成では、施設の将来の状態だけでなく、施設の現在の状態も知ることができるので、ユーザーにとっては利便性が良い。
【００８５】
また、本実施形態では、上記のように、将来状態報知処理に関するモードが第１モードに設定されているとき、制御部１は、第１操作画像ＯＧ１を第１方向の一方側から他方側に向けて移動させる操作が行われると、対象日時の時刻を進め、第２操作画像ＯＧ２を第２方向の一方側から他方側に向けて移動させる操作が行われると、対象日時の日付を進める。また、制御部１は、第１操作画像ＯＧ１の移動範囲の第１方向の他方側の端まで第１操作画像ＯＧ１が移動すると、対象日時の日付を翌日の日付に変更し、第２操作画像ＯＧ２の移動範囲の第２方向の他方側の端まで第２操作画ＯＧ２像が移動すると、対象日時の日付を翌月の日付に変更する。この構成では、対象日時として設定される将来の日時を操作画像ＯＧ（第１操作画像ＯＧ１および第２操作画像ＯＧ２）の移動量に応じて変更することができるので、操作性が良い（操作ステップの増加が抑制される）。また、操作が直感的で分かり易い。
【００８６】
なお、第３操作画像ＯＧ３を表示する変形例では、対象日時として設定される将来の日時の時刻および日付の両方を一括して変更することができるので、操作性をより向上させることができる。
【００８７】
また、本実施形態では、上記のように、将来状態報知処理に関するモードが第２モードに設定されているとき、制御部１は、表示中の地図ＭＰの範囲内に施設の位置が入ると、ＧＰＳ信号に基づき認識した表示入力装置１００（自機）の現在位置から施設への到着予定日時を求め、到着予定日時を対象日時に設定し、対象日時として設定した到着予定日時における施設の状態に応じた状態画像Ｇをタッチスクリーン３に表示させる。この構成では、表示入力装置１００をナビゲーションシステムとして用いるとき、対象日時として設定される将来の日時を指定する操作を行わなくてもよいので、ユーザーにとっては利便性が良い。たとえば、将来状態報知処理に関するモードを第２モードに設定しておけば、自動車の運転中に施設の将来の状態を知りたくなったとき、自動車を止めて表示入力装置１００を操作する、といったことを行わなくてもよくなる。
【００８８】
また、本実施形態では、上記のように、将来状態報知処理に関するモードが第２モードに設定されているとき、制御部１は、表示中の地図ＭＰの範囲内に施設の位置が入って以降、到着予定日時を繰り返し求め、最新の到着予定日時の状態に応じた状態画像Ｇをタッチスクリーン３に表示させる。この構成では、たとえば、ユーザーの移動速度が大きく変化したことによって到着予定日時が変化しても、変化後の到着予定日時における施設の状態に応じた状態画像Ｇを表示することができる。
【００８９】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【図１】
2019106842.tif 000003
【図２】
2019106842.tif 000004
【図３】
2019106842.tif 000005
【図４】
2019106842.tif 000006
【図５】
2019106842.tif 000007
【図６】
2019106842.tif 000008
【図７】
2019106842.tif 000009
【図８】
2019106842.tif 000010
【図９】
2019106842.tif 000011
【図１０】
2019106842.tif 000012
【図１１】
2019106842.tif 000013
【図１２】
2019106842.tif 000014
【図１３】
2019106842.tif 000015
【図１４】
2019106842.tif 000016
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
地図を表示するとともに、前記地図上の施設の位置に前記施設の状態を示す状態画像を表示する操作表示部と、
将来の日時を対象日時に設定するとともに、前記施設のスケジュール情報に基づき前記施設の前記対象日時の状態を認識し、前記施設の前記対象日時の状態に応じた前記状態画像を前記操作表示部に表示させる制御部と、を備え、
前記操作表示部は、前記将来の日時の指定を受け付けるための受付ボタンを表示し、
前記制御部は、前記スケジュール情報に基づき前記施設の現在日時の状態を認識し、前記受付ボタンが操作されるまでは、前記施設の前記現在日時の状態に応じた前記状態画像を前記操作表示部に表示させ、前記受付ボタンが操作されると、前記対象日時を設定し、前記施設の前記対象日時の状態に応じた前記状態画像を前記操作表示部に表示させ、
前記操作表示部は、前記受付ボタンが操作されると、第１方向に移動可能な第１操作画像および第２方向に移動可能な第２操作画像を表示し、
前記制御部は、前記第１操作画像を前記第１方向の一方側から他方側に向けて移動させる操作が行われると、前記対象日時の時刻を進め、前記第２操作画像を前記第２方向の一方側から他方側に向けて移動させる操作が行われると、前記対象日時の日付を進める表示入力装置。
【請求項２】
前記制御部は、前記第１操作画像の移動範囲の前記第１方向の他方側の端まで前記第１操作画像が移動すると、前記対象日時の日付を翌日の日付に変更し、前記第２操作画像の移動範囲の前記第２方向の他方側の端まで前記第２操作画像が移動すると、前記対象日時の日付を翌月の日付に変更することを特徴とする請求項１に記載の表示入力装置。
【請求項３】
地図を表示するとともに、前記地図上の施設の位置に前記施設の状態を示す状態画像を表示する操作表示部と、
将来の日時を対象日時に設定するとともに、前記施設のスケジュール情報に基づき前記施設の前記対象日時の状態を認識し、前記施設の前記対象日時の状態に応じた前記状態画像を前記操作表示部に表示させる制御部と、を備え、
前記操作表示部は、前記将来の日時の指定を受け付けるための受付ボタンを表示し、
前記制御部は、前記スケジュール情報に基づき前記施設の現在日時の状態を認識し、前記受付ボタンが操作されるまでは、前記施設の前記現在日時の状態に応じた前記状態画像を前記操作表示部に表示させ、前記受付ボタンが操作されると、前記対象日時を設定し、前記施設の前記対象日時の状態に応じた前記状態画像を前記操作表示部に表示させ、
前記操作表示部は、前記受付ボタンが操作されると、第３方向に移動可能な第３操作画像を表示し、
前記制御部は、前記第３操作画像を前記第３方向の一方側から他方側に向けて移動させる操作が行われると、前記対象日時の時刻および日付の両方を進める表示入力装置。
【請求項４】
前記施設の状態は複数に分類されており、
複数に分類された前記施設の状態にそれぞれ対応する複数の前記状態画像を記憶する記憶部を備え、
前記制御部は、前記記憶部に記憶された複数の前記状態画像のうち前記施設の前記対象日時の状態に対応する前記状態画像を前記操作表示部に表示させることを特徴とする請求項１〜３のいずれか１項に記載の表示入力装置。
【請求項５】
ＧＰＳ信号を受信するＧＰＳ受信部を備え、
前記制御部は、表示中の前記地図の範囲内に前記施設の位置が入ると、前記ＧＰＳ信号に基づき認識した自機の現在位置から前記施設への到着予定日時を求め、前記到着予定日時を前記対象日時に設定し、前記対象日時として設定した前記到着予定日時における前記施設の状態に応じた前記状態画像を前記操作表示部に表示させることを特徴とする請求項１〜４のいずれか１項に記載の表示入力装置。
【請求項６】
前記制御部は、表示中の前記地図の範囲内に前記施設の位置が入って以降、前記到着予定日時を繰り返し求め、最新の前記到着予定日時における前記施設の状態に応じた前記状態画像を前記操作表示部に表示させることを特徴とする請求項５に記載の表示入力装置。
【請求項７】
請求項１〜６のいずれか１項に記載の表示入力装置と、
前記表示入力装置と通信可能に接続され、前記施設の前記スケジュール情報を記憶するサーバーと、を備え、
前記表示入力装置は、前記施設の前記対象日時の状態を認識するとき、前記サーバーと通信し、前記施設の前記スケジュール情報を参照することを特徴とする表示システム。
【請求項８】
地図を表示するとともに、前記地図上の施設の位置に前記施設の状態を示す状態画像を表示する表示方法であって、
将来の日時の指定を受け付けるための受付ボタンを表示するステップと、
前記施設のスケジュール情報に基づき前記施設の現在日時の状態を認識し、前記受付ボタンが操作されるまでは、前記施設の前記現在日時の状態に応じた前記状態画像を表示するステップと、
前記受付ボタンが操作されると、前記将来の日時を対象日時に設定するステップと、
前記スケジュール情報に基づき前記施設の前記対象日時の状態を認識するステップと、
前記施設の前記対象日時の状態に応じた前記状態画像を表示するステップと、を備え、
前記将来の日時を前記対象日時に設定するステップは、
前記受付ボタンが操作されると、第１方向に移動可能な第１操作画像および第２方向に移動可能な第２操作画像を表示するステップと、
前記第１操作画像を前記第１方向の一方側から他方側に向けて移動させる操作が行われると、前記対象日時の時刻を進め、前記第２操作画像を前記第２方向の一方側から他方側に向けて移動させる操作が行われると、前記対象日時の日付を進めるステップと、を含む表示方法。
【請求項９】
地図を表示するとともに、前記地図上の施設の位置に前記施設の状態を示す状態画像を表示する表示方法であって、
将来の日時の指定を受け付けるための受付ボタンを表示するステップと、
前記施設のスケジュール情報に基づき前記施設の現在日時の状態を認識し、前記受付ボタンが操作されるまでは、前記施設の前記現在日時の状態に応じた前記状態画像を表示するステップと、
前記受付ボタンが操作されると、前記将来の日時を対象日時に設定するステップと、
前記スケジュール情報に基づき前記施設の前記対象日時の状態を認識するステップと、
前記施設の前記対象日時の状態に応じた前記状態画像を表示するステップと、を備え、
前記将来の日時を前記対象日時に設定するステップは、
前記受付ボタンが操作されると、第３方向に移動可能な第３操作画像を表示するステップと、
前記第３操作画像を前記第３方向の一方側から他方側に向けて移動させる操作が行われると、前記対象日時の時刻および日付の両方を進めるステップとを含む表示方法。
【国際調査報告】
2019106842.tif 000017
2019106842.tif 000018
2019106842.tif 000019
2019106842.tif 000020